(57)【要約】【課題】普通乗車券のような短期使用券を非接触式トークンとしたときの取忘れ発生時の第三者の持ち去りを防止する。【解決手段】所定のデータの書込まれた非接触式トークンを発行するトークン発行機であって、前記トークン発行機の本体の発行口に差し出された利用者の手を検出する検出手段と、利用者の手が検出されたときに、前記発行口に前記所定のデータの書込まれた非接触式トークンを排出する排出手段とを有する。【選択図】      図３
2004310508.tif 000002
【特許請求の範囲】
【請求項１】
所定のデータの書込まれた非接触式トークンを発行するトークン発行機であって、
前記トークン発行機の本体の発行口に差し出された利用者の手を検出する検出手段と、
利用者の手が検出されたときに、前記発行口に前記所定のデータの書込まれた非接触式トークンを排出する排出手段と、を有することを特徴とするトークン発行機。
【請求項２】
請求項１に記載のトークン発行機において、発行口に手を差し出す旨の案内を行う案内手段を設けたことを特徴とするトークン発行機。
【請求項３】
請求項１又は２に記載のトークン発行機において、発行口に所定時間以内に手が差し出されないときに、所定のデータの書込まれた非接触式トークンを回収箱へ回収する回収手段を設けたことを特徴とするトークン発行機。
【請求項４】
請求項１〜３のいずれかに記載のトークン発行機において、非接触式トークンは、利用者の手が発行口に差し出されるまでに所定のデータの書込みを終了して待機していることを特徴とするトークン発行機。
【発明の詳細な説明】
【０００１】
【発明の属する技術分野】
本発明は、普通乗車券のような短期使用券として使用される非接触式トークンを発行するためのトークン発行機に関する。
【０００２】
【従来の技術】
近年、利用者の利便向上を図るために、定期券やＳＦカード（ストアードフェアカード）を無線通信機能を備えたＩＣカードからなる非接触券とし、その非接触券を自動改札機のアンテナに軽くタッチして、又はそのアンテナにかざして入出場（入場又は出場を意味している。）する自動改札システムが普及してきている。
【０００３】
上述のように、非接触券を用いた自動改札システムが普及してきても、普通乗車券のような短期使用券は磁気券として存在するため、自動改札機は、非接触券を処理する機能の他に、磁気券を処理するための機能、すなわち、カードハンドラを有する自動改札機に構成されているため、自動改札機のコスト高を招くという欠点がある。このような欠点を解決するために、短期使用券をコイン状（硬貨状）の非接触式トークンとし、その非接触式トークンを繰返し使用できるようにした非接触式トークンを用いた改札システムが提案されている（特許文献１参照。）。
【０００４】
【特許文献１】
特開２００２−３３４３６０号公報
【０００５】
【発明が解決しようとする課題】
上述のように、短期使用券を繰返し使用できる非接触式トークンとすることが提案されているが、非接触式トークンは、コイン状を呈しているため、従来の磁気券の発券機（自動券売機や自動精算機等の出札機）のような発券口に設けられるキャッチング機構を採用することができず、非接触式トークンの取忘れに十分に対応することができないおそれがあった。
【０００６】
すなわち、従来の磁気券からなる発券機は、所定の口座釦が押下され、かつ、その押下された口座釦に対応した金額の金銭（プリペイドカード等のカード類も含む。以下、同じ。）が発券機に投入されると、その押下した口座釦に対応した乗車券が発券機の発券口から一部を突出させた形で発券されるように構成されている。そして、その発券口に発券された乗車券が所定時間以内に利用者により抜き取られないときは、取忘れ券が発生したと判定されてその発券口に発券されている乗車券は発券機内に回収され、他人による持ち去りを防止できるように構成されている。
【０００７】
ところが、非接触式トークン発行機から発行される非接触式トークンは、上述のような磁気券と異なりコイン状を呈しているため、発行口で保持することができず、取忘れが発生すると第三者に持ち去られてしまうので、これを解決できる非接触式トークン発行機の出現が待たれていた。
【０００８】
そこで、本発明は、上記要望に応えるためになされたものであって、その目的は、取忘れによる不都合を発生しない非接触式トークン発行機を提供することにある。
【０００９】
【課題を解決するための手段】
本発明に係る非接触式トークン発行機は、上記目的を達成するために、請求項１に記載の発明は、所定のデータの書込まれた非接触式トークンを発行するトークン発行機であって、前記トークン発行機の本体の発行口に差し出された利用者の手を検出する検出手段と、利用者の手が検出されたときに、前記発行口に前記所定のデータの書込まれた非接触式トークンを排出する排出手段と、を有することを特徴としている。
本発明の請求項２に記載のトークン発行機は、発行口に手を差し出す旨の案内を行う案内手段を設けたことを特徴としている。
本発明の請求項３に記載のトークン発行機は、発行口に所定時間以内に手が差し出されないときに、所定のデータの書込まれた非接触式トークンを回収箱へ回収する回収手段を設けたことを特徴としている。
本発明の請求項４に記載のトークン発行機は、非接触式トークンは、利用者の手が発行口に差し出されるまでに所定のデータの書込みを終了して待機していることを特徴としている。
【００１０】
【発明の実施の形態】
以下、本発明の実施の形態を図面に基づいて説明する。図１は、一実施の形態に係るトークン発行機の断面図であって、そのトークン発行機の本体（以下、「発行機本体」という。）イには、多数のコイン状を呈した非接触式トークン（以下、「トークン」という。）Ｔ，Ｔ…を収納できるホッパ１が設けられている。
このホッパ１の下部には、周知の自動券売機や自動販売機の等の機器に組込まれている硬貨処理機の繰出部と同様の繰出部２が設けられていて、後述する制御器により発行指令が行われたときにシュータ３に１枚のトークンＴを排出できるように構成されている。なお、シュータ３に１枚ずつトークンＴを繰出す機構としては、上述のホッパ１及び繰出部２によらず、トークンＴを多数枚積層できるマガジンの下部に１枚のトークンＴを押出す押出機構を設けたマガジン形式を採用することもできる。
【００１１】
上記シュータ３は、繰出部２から繰出されたトークンＴを重力により発行機本体イの接客面ａ′に設けられている発行口４に摺動させながら落下させて排出できるように構成されている。この発行口４は、摺動してくるトークンＴが外部（発行機本体ａの外）へ飛び出すことがないように凹状に形成され、かつ、利用者の手ロが入る十分な大きさに形成される。そして、この発行口４には、その手ロを検出するための光電素子等の周知のセンサからなるセンサＳが設けられている。
【００１２】
上記シュータ３には、上流側（図１では繰出部２側）から下流側（発行口４側）にかけて、順に、シュータ３を移動するトークンＴと交信してそのトークンＴのメモリに発行日や金額等のデータ（トークンデータ）を書込み、その書込まれたデータをチェックするためのアンテナａと、トークンＴを一時保留することのできる図示しないソレノイドで駆動されるストッパ５と、シュータ３を移動するトークンＴを回収箱Ｂに開口した回収路３′側に向かわせるための図示しないソレノイドで駆動されるウイングＷとが設けられている。
【００１３】
図１中、６は、発行機本体イの接客面ａ′の上部に設けられた表示画面であり、文字により所定の内容を案内できるように構成されている。また、７は、口座釦群である。なお、表示画面６及び口座釦群７は、タッチパネルで構成することができる。
【００１４】
図１中、８は、金銭処理ユニットであり、接客面ａ′に設けられた図示しない硬貨投入口及び紙幣投入口から投入された金銭を検銭し、必要に応じて図示しない釣銭排出口へ釣銭を排出することができるように構成されている。なお、発行機本体イがカード対応型のときは、プリペイドカード等のカードを処理するためのカード処理ユニットも設けられる。
【００１５】
図１中、９は、発行機本体イの接客面に設けられたスピーカであって、利用者に対して音声により所定の内容を案内できるように構成されている。
【００１６】
図１中、１０は、制御器であって、発行機本体イを統括的に制御できるように構成されている。この制御器１０は、図２に示されるように、メモリ１１に記憶されているシステムプログラムデータ及びワーキングデータを用いて演算処理する中央処理部（ＣＰＵ）を有している。
【００１７】
このＣＰＵ１２は、Ｉ／Ｏユニット１３を介して上記口座釦群７からの入力信号を処理する口座釦ユニット１４と、上記金銭処理ユニット８と、表示画面６を駆動制御する表示ドライバ１５と、ストッパ５及びウイングＷのそれぞれのソレノイドを駆動制御するソレノイドドライバ１６と、センサＳの検出信号を増幅処理して取込むためのセンサアンプ１７と、スピーカ９を駆動制御する音声ドライバ１８と、アンテナａを介してトークンＴに所定のデータ（トークンデータ）を書込み、また、その書込んだデータをチェックするためのリーダライタ１９とが接続されている。なお、Ｉ／Ｏユニット１３には、図示しない係員処理ユニット等も接続されているが、ここでは省略されている。
【００１８】
トークンＴは、無線通信機能を有するＩＣカードと同様に構成されている。すなわち、このトークンＴには、図示しないが、アンテナと、発行機本体イ側と交信するための通信制御部と、その通信制御部とＩ／Ｏユニットを介して接続されているＣＰＵと、システムプログラムデータ、金額データ及びトークンＩＤデータ等の所定のトークンデータの記録されているメモリと、発行機本体イ（アンテナａ）からの電力波をアンテナを介して受信し、トークンＴの駆動電力を生成する電力生成回路とを有している。
【００１９】
以下、図３のフローチャートを用いて制御動作について説明する。今、利用者により口座釦群７の中の所定の口座釦が押下されるとともに、その押下された口座釦の金額を満たす金銭が発行機本体イ（金銭処理ユニット８）に投入されたとする（ステップ１００肯定。以下、ステップを「Ｓ」とする。）。上述の口座釦押下及び金銭投入によりトークンＴの発行条件が満たされるので、繰出部２は、１枚のトークンＴをシュータ３に排出する（Ｓ１０２）。なお、発行機本体イが１種類のトークンＴしか発行しない形式のときは、所定の金額の金銭投入条件が満たされたときに１枚のトークンＴがシュータ３に排出される。
【００２０】
シュータ３に排出されたトークンＴは、そのシュータ３を移動する途中、アンテナａを介して所定のデータ（トークンデータ）が書込まれる（Ｓ１０４）。この書込まれたデータが書込み不良のときは、ストッパ５で保留されることなく、ウイングＷ（鎖線で示されるウイングＷ参照。）及び回収路３′を介して回収箱Ｂに回収される（Ｓ１０６否定、Ｓ１０５）。この場合は、再度、繰出部２から１枚のトークンＴがシュータ３に排出される。
【００２１】
トークンＴに書込まれたデータが正常なときは、ストッパ５により保留され（Ｓ１０８）、表示画面６及びスピーカ９を介して手を発行口４に差し出すようにとの案内が行われる（Ｓ１１０）。この案内により、利用者が手ロを発行口４に差し出すと、ストッパ５の保留が解消されてトークンＴは発行口４に排出されて利用者へ渡される（Ｓ１１２肯定、Ｓ１１４）。
【００２２】
しかし、ストッパ５でトークンＴが保留されてから、つまり、トークンＴが発行されてから所定時間、例えば１０秒間、発行口４に手ロが差し出されないときは、ウイングＷが鎖線位置になるとともに、ストッパ５の保留が解消されてトークンＴは回収箱Ｂに回収される（Ｓ１１２否定、Ｓ１１６肯定、Ｓ１１８）、トークンＴが回収箱Ｂに回収されると、発行機本体イは、次客用の発行モードになる。なお、回収箱Ｂに回収されたトークンＴは、トークンＴの取忘れに気付いた利用者の申し出により利用者へ渡される。
【００２３】
なお、上述の例では、発行口４に手を差し出すことによりトークンＴを受け取ることができる旨を表示画面６に表示したが、この表示画面６以外に、他の場所（例えば、運賃表示板）へ、常時、表示しておくこともできる。また、上述の書込み不良のトークンＴも回収箱Ｂに回収したが、利用者への返却を容易にするために書込み不良で回収したトークンＴと、利用者の取忘れで回収したトークンＴとを分別して回収するようにしてもよい。
【００２４】
【発明の効果】
本発明の請求項１に記載のトークン発行機は、発行機本体の発行口に差し出された利用者の手を検出する検出手段と、利用者の手が検出されたときに、前記発行口に前記所定のデータの書込まれたトークンを排出する排出手段と、を有するので、取忘れのトークンが第三者に持ち去られるのを効果的に防止することができる。
本発明の請求項２に記載のトークン発行機は、発行口に手を差し出す旨の案内を行う案内手段を設けたので、利用者の利便性を高めることができる。
本発明の請求項３に記載のトークン発行機は、発行口に所定時間以内に手が差し出されないときに、所定のデータの書込まれたトークンを回収箱へ回収する回収手段を設けたので、発行機本体を速やかに次客用とすることができる。
本発明の請求項４に記載のトークン発行機は、トークンは、利用者の手が発行口に差し出されるまでに所定のデータの書込みを終了して待機しているので、発行処理時間を短縮することができる。
【図面の簡単な説明】
【図１】本発明の一実施の形態に係る発行機本体の概略構成図である。
【図２】制御器のブロック図である。
【図３】制御動作を示すフローチャートである。
【符号の説明】
イ  トークン発行機の本体（発行機本体）
１  ホッパ
２  繰出部
３  シュータ
３′  回収路
ａ  アンテナ
４  発行口
５  ストッパ
Ｗ  ウイング
Ｂ  回収箱
６  表示画面
７  口座釦群
８  金銭処理ユニット
９  スピーカ
１０  制御器
Ｔ  非接触式トークン（トークン）
【図１】
2004310508.tif 000003
【図２】
2004310508.tif 000004
【図３】
2004310508.tif 000005